(57)【特許請求の範囲】
【請求項１】
光源が発する光により画像を表示する表示装置であって、
前記光源に駆動電流を出力する光源駆動部と、
前記光源駆動部が出力する駆動電流のデューティー比と、前記光源の最大輝度に対する明るさ比とを対応付ける制御情報を記憶する記憶部と、
前記制御情報に基づいて、前記光源駆動部が出力する駆動電流のデューティー比を設定する制御部と、
前記光源の明るさを検出する検出部と、を備え、
前記制御部は、前記光源駆動部が、前記制御情報によって前記光源の最大輝度に対応付けられる第１のデューティー比の駆動電流を出力する場合の前記検出部の検出結果と、前記光源駆動部が前記第１のデューティー比よりも低い第２のデューティー比の駆動電流を出力する場合の前記検出部の検出結果と、に基づいて、前記制御情報を補正すること、
を特徴とする表示装置。
【請求項２】
前記制御情報は、前記光源駆動部が出力する駆動電流のデューティー比と前記光源の明るさ比との相関曲線を示す情報を含み、
前記制御部は、前記制御情報に含まれる相関曲線をシフトさせることにより、前記制御情報を補正すること、
を特徴とする請求項１記載の表示装置。
【請求項３】
前記光源駆動部が前記光源に出力する駆動電流は可聴周波数帯域以上の周波数であること、
を特徴とする請求項１または２のいずれかに記載の表示装置。
【請求項４】
前記光源駆動部は、幅が異なる複数種類のパルスを含む駆動電流を出力すること、
を特徴とする請求項１から３のいずれかに記載の表示装置。
【請求項５】
光源と、前記光源に駆動電流を出力する光源駆動部とを備え、前記光源が発する光により画像を表示する表示装置の制御方法であって、
前記光源駆動部が出力する駆動電流のデューティー比と、前記光源の最大輝度に対する明るさ比とを対応付ける制御情報に基づいて、前記光源駆動部が出力する駆動電流のデューティー比を設定するステップと、
前記光源の明るさを検出するステップと、
前記光源駆動部が、前記制御情報によって前記光源の最大輝度に対応付けられる第１のデューティー比の駆動電流を出力する場合の前記光源の明るさの検出結果と、前記光源駆動部が前記第１のデューティー比よりも低い第２のデューティー比の駆動電流を出力する場合の前記光源の明るさの検出結果と、に基づいて、前記制御情報を補正するステップと、
を備えることを特徴とする表示装置の制御方法。
【発明の詳細な説明】
【技術分野】
【０００１】
本発明は、表示装置、及び、表示装置の制御方法に関する。
【背景技術】
【０００２】
従来、レーザーダイオード（Laser Diode：ＬＤ）や発光ダイオード（Light Emitting Diode：ＬＥＤ）等の固体光源を有する表示装置が知られている。この種の表示装置は、通常、光源の明るさを制御する方法として、ＰＷＭ（Pulse Width Modulation）制御を用いる（例えば、特許文献１参照）。
【先行技術文献】
【特許文献】
【０００３】
【特許文献１】特開２０１５−１２９７８３号公報
【発明の概要】
【発明が解決しようとする課題】
【０００４】
固体光源は、経時劣化等により、光源に供給される電力に対する発光輝度が低下することがある。このような場合、表示品質が低下しないように、光源の輝度の低下の状態を詳細に調べて、ＰＷＭ制御のパラメーター等を変更し、光源をもとの輝度で発光させるようにしていた。このため、より簡易に、表示品質の低下を抑制できる手法が望まれていた。
本発明は上記事情に鑑みてなされたものであり、光源に供給される電力に対する光源の輝度の変化に対応して、簡易な動作によって、表示品質の低下を抑制できる表示装置、及び、表示装置の制御方法を提供することを目的とする。
【課題を解決するための手段】
【０００５】
上記目的を達成するため、本発明は、光源が発する光により画像を表示する表示装置であって、前記光源に駆動電流を出力する光源駆動部と、前記光源駆動部が出力する駆動電流のデューティー比と、前記光源の最大輝度に対する明るさ比とを対応付ける制御情報を記憶する記憶部と、前記制御情報に基づいて、前記光源駆動部が出力する駆動電流のデューティー比を設定する制御部と、前記光源の明るさを検出する検出部と、を備え、前記制御部は、前記光源駆動部が第１のデューティー比の駆動電流を出力する場合の前記検出部の検出結果と、前記光源駆動部が前記第１のデューティー比よりも低い第２のデューティー比の駆動電流を出力する場合の前記検出部の検出結果と、に基づいて、前記制御情報を補正すること、を特徴とする。
この構成によれば、光源に供給する駆動電流のデューティー比と光源の明るさ比とを対応付ける制御情報に基づいて光源の輝度を制御し、この制御情報を簡易な動作で補正できる。これにより、光源に供給される電力に対する光源の輝度の変化に対応して、表示品質の低下を抑制できる。
【０００６】
また、本発明は、上記表示装置において、前記制御部は、前記光源駆動部が出力する駆動電流の波形なまりに起因する、前記光源駆動部が出力する駆動電流のデューティー比に対する前記光源の明るさ比の低下を補うように、前記制御情報を補正すること、を特徴とする。
この構成によれば、駆動電流の波形なまりに起因して、デューティー比が実質的に目減りするような場合であっても、光源の輝度を適切に制御できる。
【０００７】
また、本発明は、上記表示装置において、前記制御情報は、前記光源駆動部が出力する駆動電流のデューティー比と前記光源の明るさ比との相関曲線を示す情報を含み、前記制御部は、前記制御情報に含まれる相関曲線をシフトさせることにより、前記制御情報を補正すること、を特徴とする。
この構成によれば、制御情報を簡易な動作により補正できる。
【０００８】
また、本発明は、上記表示装置において、前記第１のデューティー比は、前記制御情報によって前記光源の最大輝度に対応付けられる値であること、を特徴とする。
この構成によれば、少ない測定結果に基づいて制御情報を適切に補正できる。
【０００９】
また、本発明は、上記表示装置において、前記光源駆動部が前記光源に出力する駆動電流は可聴周波数帯域以上の周波数であること、を特徴とする。
この構成によれば、光源に供給される駆動電流の周波数が高く、駆動電流の波形なまりの影響を受けやすい場合に、制御情報を補正することにより、光源の輝度を適切に制御できる。
【００１０】
また、本発明は、上記表示装置において、前記光源駆動部は、幅が異なる複数種類のパルスを含む駆動電流を出力すること、を特徴とする。
この構成によれば、駆動電流のデューティー比を変化させずに、パルスの間隔を拡大することが可能となり、電流の波形なまりの影響を抑制できる。
【００１１】
また、上記目的を達成するため、本発明は、光源と、前記光源に駆動電流を出力する光源駆動部とを備え、前記光源が発する光により画像を表示する表示装置の制御方法であって、前記光源駆動部が出力する駆動電流のデューティー比と、前記光源の最大輝度に対する明るさ比とを対応付ける制御情報に基づいて、前記光源駆動部が出力する駆動電流のデューティー比を設定するステップと、前記光源の明るさを検出するステップと、前記光源駆動部が第１のデューティー比の駆動電流を出力する場合の前記光源の明るさの検出結果と、前記光源駆動部が前記第１のデューティー比よりも低い第２のデューティー比の駆動電流を出力する場合の前記光源の明るさの検出結果と、に基づいて、前記制御情報を補正するステップと、を備えることを特徴とする。
この構成によれば、光源に供給する駆動電流のデューティー比と光源の明るさ比とを対応付ける制御情報に基づいて光源の輝度を制御し、この制御情報を簡易な動作で補正できる。これにより、光源に供給される電力に対する光源の輝度の変化に対応して、表示品質の低下を抑制できる。
【００１２】
本発明は、上述した表示装置及び表示装置の制御方法以外の種々の形態で実現することも可能である。例えば、上記の制御方法をコンピューターにより実行するためのプログラムとして実現することも可能である。また、例えば、上記のプログラムを記録した記録媒体、プログラムを配信するサーバー装置、上記プログラムを伝送する伝送媒体、上記プログラムを搬送波内に具現化したデータ信号等の形態で実現できる。
【図面の簡単な説明】
【００１３】
【図１】プロジェクターの構成を示す図。
【図２】光源部の駆動電流波形の説明図。
【図３】光源制御情報の説明図。
【図４】光源部の駆動電流波形の説明図。
【図５】制御部の動作を示すフローチャート。
【図６】光源部の駆動電流波形の例を示す説明図。
【図７】光源制御情報の説明図。
【発明を実施するための形態】
【００１４】
以下、図面を参照して本発明の実施形態について説明する。
図１は、本発明を適用した実施形態に係るプロジェクター１００の構成を示す図である。
プロジェクター１００（表示装置）は、パーソナルコンピューターや各種映像プレーヤー等の外部の画像供給装置２００に接続され、画像供給装置２００から供給される画像信号に基づく画像を投射対象に投射する装置である。
画像供給装置２００には、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等を用いることができる。
また、投射対象は、建物や物体など、一様に平らではない物体であってもよいし、スクリーンＳＣや、建物の壁面等の平らな投射面を有するものであってもよい。図１には、投射対象として平面のスクリーンＳＣを示す。
【００１５】
プロジェクター１００は、画像入力インターフェース部（以下、画像入力Ｉ／Ｆ部と略記する）１５１を備える。画像入力Ｉ／Ｆ部１５１は、入力部として機能する。
画像入力Ｉ／Ｆ部１５１は、ケーブルを接続するコネクター及びインターフェース回路（いずれも図示略）を備え、ケーブルを介して接続された画像供給装置２００から供給される画像信号を入力する。画像入力Ｉ／Ｆ部１５１は、入力された画像信号を画像データに変換して画像処理部１５３に出力する。
画像入力Ｉ／Ｆ部１５１が備えるインターフェースは、例えば、Ｅｔｈｅｒｎｅｔ（登録商標）、ＩＥＥＥ１３９４、ＵＳＢ等のデータ通信用のインターフェースであってもよい。また、画像入力Ｉ／Ｆ部１５１のインターフェースは、ＭＨＬ（登録商標）、ＨＤＭＩ（登録商標）、ＤｉｓｐｌａｙＰｏｒｔ等の画像データ用のインターフェースであってもよい。
また、画像入力Ｉ／Ｆ部１５１は、コネクターとして、アナログ映像信号が入力されるＶＧＡ端子や、デジタル映像データが入力されるＤＶＩ（Digital Visual Interface）端子を備える構成であってもよい。さらに、画像入力Ｉ／Ｆ部１５１は、Ａ／Ｄ変換回路を備え、ＶＧＡ端子を介してアナログ映像信号が入力された場合、Ａ／Ｄ変換回路によりアナログ映像信号を画像データに変換し、画像処理部１５３に出力する。
【００１６】
プロジェクター１００は、光学的な画像の形成を行い、スクリーンＳＣ（投射面）に画像を投射する表示部１１０を備える。表示部１１０は、光源部１１１、色分離部１１２、光変調装置１１３及び投射光学系１１４を備える。光源部１１１は、本発明の「光源」に相当する。プロジェクター１００は、スクリーンＳＣに画像を投射することにより画像を表示する表示装置に相当する。投射部１１０は、画像を表示する表示部ということができる。
【００１７】
光源部１１１は、固体光源を備える。固体光源には、ＬＥＤ（Light Emitting Diode）等の発光素子や半導体レーザー素子を用いた光源を用いることができる。半導体レーザー素子は、単一の半導体レーザー素子により構成されるもの、或いは面状に配列形成された複数の半導体レーザー素子を備えるものを用いることができる。本実施形態の光源部１１１は、固体光源としてレーザーダイオード（Laser Diode：ＬＤ）を備える。本実施形態のＬＤは、青色光（射出光）を射出する。以下では、光源部１１１の備える固体光源を、簡単に光源という。
【００１８】
光源部１１１のＬＤが発する青色光は、色分離部１１２に導かれる。色分離部１１２は、蛍光体を有する蛍光体ホイール（不図示）を備え、ＬＤから射出される青色光は蛍光体ホイールによって赤色光及び緑色光を含む黄色光（蛍光）に変換される。色分離部１１２は、不図示のダイクロイックミラーを備える。蛍光体ホイールにより変換された黄色光は、ダイクロイックミラーにより赤色光及び緑色光に分離される。また、色分離部１１２は、光源部１１１のＬＤが発する青色光を、蛍光体ホイールを透過させる。これにより、光源部１１１のＬＤが発する青色光をもとに、色分離部１１２は、赤（Ｒ）、緑（Ｇ）、青（Ｂ）の３色の色光を出力する。
【００１９】
色分離部１１２は、反射ミラー、リレーレンズ、集光レンズ、マイクロレンズアレイ等により、赤（Ｒ）、緑（Ｇ）、青（Ｂ）の３色の色光を平行光として光変調装置１１３に導く。
【００２０】
ここで、光源部１１１は、複数のＬＤを備えてもよく、例えば、蛍光体ホイールを透過する青色光を発する第１のＬＤと、蛍光体ホイールにより黄色光に変換される青色光を発する第２のＬＤとを備えてもよい。
また、光源部１１１は、赤色、緑色及び青色の各色に対応した３つの光源を備える構成であってもよい。具体的には、赤色光を発する光源と、緑色光を発する光源と、青色光を発する光源とを備える構成としてもよい。この場合、色分離部１１２は、光源部１１１が発する３色の色光をそれぞれ光変調装置１１３に導く。
また、光源部１１１は、光源から射出される光を走査させる光走査素子や、出射光の光学特性を高めるためのレンズ群を備える構成としてもよい。
【００２１】
光源部１１１は、光源駆動部１２１により駆動される。また、光源駆動部１２１にはＰＷＭ信号生成部１２２が接続される。光源駆動部１２１及びＰＷＭ信号生成部１２２は内部バスに接続され、それぞれ制御部１７０により制御される。
【００２２】
ＰＷＭ信号生成部１２２には、制御部１７０からＰＷＭ信号のデューティー比、すなわち、パルスのオン時間とオフ時間との和に対するオン時間の比を指定する情報が入力される。ＰＷＭ信号生成部１２２は、設定部３３０から入力される情報により指定されたデューティー比のＰＷＭ信号を生成し、光源駆動部１２１に出力する。
光源駆動部１２１は、ＰＷＭ信号生成部１２２から入力されるＰＷＭ信号に従って、光源部１１１に出力する駆動電流を生成し、光源部１１１に駆動電流を供給する。光源駆動部１２１が出力する駆動電流は、ＰＷＭ信号生成部１２２から入力されるＰＷＭ信号の立ち上がり及び立ち下がりに同期するパルス電流である。従って、光源駆動部１２１が出力する駆動電流のパルス幅および周波数はＰＷＭ信号により制御される。また、光源駆動部１２１には制御部１７０から駆動電流の電流値を指定する情報が入力され、光源駆動部１２１は、入力される情報に従って駆動電流の電流値を決定する。これにより、制御部１７０は、光源部１１１の光源が出力する光量（以下、出力光量という）を制御する。別の言い方をすれば、制御部１７０は、光源部１１１の光源の輝度を制御する。
【００２３】
光変調装置１１３は、液晶パネル１１５を備える。液晶パネル１１５は、例えば、Ｒ，Ｇ及びＢの三原色に対応した３枚の透過型液晶パネル、或いは３枚の反射型液晶パネルで構成される。色分離部１１２により分離されたＲ，Ｇ，Ｂの色光は、それぞれの色光に対応する液晶パネルに入射して、変調される。これにより、光変調装置１１３は、色分離部１１２により分離された色光を変調して画像光を生成する。光変調装置１１３により変調された画像光は、クロスダイクロイックプリズム（図示略）によって合成され、投射光学系１１４に射出される。
【００２４】
光変調装置１１３には、光変調装置駆動部１２３が接続される。光変調装置駆動部１２３は、内部バス１８０に接続され、制御部１７０により制御される。光変調装置駆動部１２３は、制御部１７０の制御に従って、画像処理部１５３が出力する表示画像信号に基づいてＲ，Ｇ，Ｂの色ごとに画像信号を生成する。光変調装置駆動部１２３は、生成したＲ，Ｇ，Ｂの画像信号に基づいて、液晶パネル１１５を構成する３枚の液晶パネルに画像を描画する。
【００２５】
投射光学系１１４は、光変調装置１１３により変調された画像光をスクリーンＳＣに投射して、スクリーンＳＣ上に結像させるレンズ群を備える。また、投射光学系１１４は、スクリーンＳＣの投射画像の拡大・縮小及び焦点の調整を行うズーム機構、フォーカスの調整を行うフォーカス調整機構を備えていてもよい。
【００２６】
プロジェクター１００は、光センサー１１７を備える。光センサー１１７は、本発明の「検出部」に相当する。光センサー１１７は、光源部１１１が発する光の輝度、或いは光量を検出する。光センサー１１７は、光源部１１１が発する光を間接的に、或いは直接検出することが可能な構成であればよく、本実施形態では一例として、色分離部１１２から液晶パネル１１５に入射する各色光の光量を検出する。この例では、光センサー１１７は、赤色光を検出する赤色光センサー、青色光を検出する青色光センサー、及び、緑色光を検出する緑色光センサーを備える構成とすることができる。光センサー１１７は、後述するように、経時劣化や環境の影響により、光源部１１１の光源が発する光の光量が低下した場合に、光量の低下の程度を判定する指標としての検出値を得ることができればよい。このため、全ての色光の光量を検出する必要はなく、例えば、青色光を検出する青色光センサーのみを備える構成としてもよい。また、緑色光の光量はスクリーンＳＣ上の投射画像の明るさに対する影響が小さいため、緑色光センサーは省略してもよい。また、光センサー１１７を光源部１１１と色分離部１１２との間の光路に設けてもよいし、光源部１１１に設けてもよい。また、光源部１１１が複数のＬＤを備える場合に、それぞれのＬＤに対応して光センサー１１７を設けてもよく、いずれかのＬＤの光量を検出する光センサー１１７を設けてもよい。
光センサー１１７は、フォトダイオード、照度センサー、Ｒ，Ｇ，Ｂの各色のカラーセンサー等、いわゆる光センサーと呼ばれる種々のセンサーを用いることができる。
【００２７】
プロジェクター１００は、操作パネル１４１及び入力処理部１４３を備える。入力処理部１４３は、内部バス１８０に接続される。
ユーザーインターフェースとして機能する操作パネル１４１には、各種の操作キーや、液晶パネルにて構成された表示画面が表示される。入力処理部１４３は、操作パネル１４１に表示された操作キーが操作されると、操作されたキーに対応したデータを制御部１７０に出力する。また、入力処理部１４３は、制御部１７０の制御に従って、操作パネル１４１に各種画面を表示させる。
また、操作パネル１４１には、操作パネル１４１への接触を検出するタッチセンサーが重ね合わされて一体形成される。入力処理部１４３は、ユーザーの指等が接触した操作パネル１４１の位置を入力位置として検出し、検出した入力位置に対応したデータを制御部１７０に出力する。
【００２８】
また、プロジェクター１００は、ユーザーが使用するリモコン５から送信される赤外線信号を受光するリモコン受光部１４２を備える。リモコン受光部１４２は、入力処理部１４３に接続される。リモコン５及びリモコン受光部１４２と、操作パネル１４１とは、それぞれ、ユーザーの操作を受け付ける受付部ということができる。
リモコン受光部１４２は、リモコン５から送信される赤外線信号を受光する。入力処理部１４３は、リモコン受光部１４２が受光した赤外線信号をデコードして、リモコン５における操作内容を示すデータを生成し、制御部１７０に出力する。
【００２９】
プロジェクター１００は、無線通信部１４５を備える。無線通信部１４５は、内部バス１８０に接続される。無線通信部１４５は、図示しないアンテナやＲＦ（Radio FreＱuency）回路等を備え、制御部１７０の制御の下、外部の装置との間で無線通信を実行する。無線通信部１４５の無線通信方式は、例えば無線ＬＡＮ（Local Area Network）、Bluetooth（登録商標）、ＵＷＢ（Ultra Wide Band）、赤外線通信等の近距離無線通信方式、又は携帯電話回線を利用した無線通信方式を採用できる。
【００３０】
プロジェクター１００は、画像処理系を備える。画像処理系は、プロジェクター１００の全体を統括的に制御する制御部１７０を中心に構成され、この他に、画像処理部１５３、フレームメモリー１５５及び記憶部１６０を備える。制御部１７０、画像処理部１５３及び記憶部１６０は、内部バス１８０に接続される。
【００３１】
画像処理部１５３は、制御部１７０の制御に従って、画像入力Ｉ／Ｆ部１５１から入力される画像データをフレームメモリー１５５に展開し、展開した画像データに対して画像処理を実行する。画像処理部１５３が実行する画像処理には、例えば、解像度変換（スケーリング）処理、フレームレート変換処理、形状補正処理、ズーム処理、色調補正処理、輝度補正処理等が含まれる。また、これらのうち複数の処理を組み合わせて実行することも勿論可能である。
【００３２】
解像度変換処理は、画像処理部１５３が、画像データの解像度を、制御部１７０により指定された解像度、例えば光変調装置１１３の液晶パネルの表示解像度に合わせて変換する処理である。
フレームレート変換処理は、画像処理部１５３が、画像データのフレームレートを、制御部１７０により指定されたフレームレートに変換する処理である。
形状補正処理は、画像処理部１５３が、制御部１７０から入力される補正パラメーターに従って画像データを変換して、スクリーンＳＣに投射する画像の形状を補正する処理である。
ズーム処理は、リモコン５や操作パネル１４１の操作によりズームが指示された場合に、画像処理部１５３が、画像を拡大／縮小する処理である。
色調補正処理は、画像データの色調を変換する処理であり、画像処理部１５３は、制御部１７０により指定された色調に合わせて画像データに含まれる各画素のデータを変更する。この処理において、プロジェクター１００は、映画鑑賞に適した色調、スクリーンＳＣが明るい環境に設置された場合に適した色調、黒板などの非白色のスクリーンＳＣに投射する場合に適した色調等を実現できる。色調補正処理に加え、コントラスト調整等を行ってもよい。
輝度補正処理は、画像処理部１５３が、画像データの輝度を補正する処理である。輝度補正処理により、画像データの輝度が、光源部１１１の発光状態やプロジェクター１００が設置された環境の明るさ等に対応した輝度に補正される。
画像処理部１５３が実行する上記の処理の内容、パラメーター、及び処理の開始、終了のタイミングは制御部１７０により制御される。
画像処理部１５３は、処理後の画像データをフレームメモリー１５５から読み出し、表示画像信号として光変調装置駆動部１２３に出力する。
【００３３】
記憶部１６０は、フラッシュメモリー、ＥＥＰＲＯＭ等の不揮発性のメモリーにより構成される。記憶部１６０は、制御部１７０が処理するデータや制御部１７０が実行する制御プログラムを不揮発的に記憶する。また、記憶部１６０は、画像処理部１５３が実行する各種処理の設定値や、制御部１７０が参照する各種のデータ、光センサー１１７により測定されたセンサー値を記憶する。
【００３４】
制御部１７０は、ＣＰＵ、ＲＯＭ及びＲＡＭ（いずれも図示略）等のハードウェアを備える。ＲＯＭは、フラッシュＲＯＭ等の不揮発性の記憶装置であり、制御プログラムやデータを格納する。ＲＡＭは、ＣＰＵのワークエリアを構成する。ＣＰＵは、ＲＯＭや記憶部１６０から読み出した制御プログラムをＲＡＭに展開し、ＲＡＭに展開された制御プログラムを実行してプロジェクター１００の各部を制御する。
【００３５】
また、制御部１７０は、機能ブロックとして、投射制御部１７１、光源制御部１７２、及び補正制御部１７３を備える。これらの機能ブロックは、ＲＯＭや記憶部１６０に記憶された制御プログラムをＣＰＵが実行することで実現される。
【００３６】
投射制御部１７１は、表示部１１０における画像の表示態様を調整し、スクリーンＳＣへの画像の投射を実行する。
具体的には、投射制御部１７１は、画像処理部１５３を制御して、画像入力Ｉ／Ｆ部１５１から入力される画像データに対して画像処理を実施させる。この際、投射制御部１７１は、画像処理部１５３が処理に必要なパラメーターを記憶部１６０から読み出して、画像処理部１５３に出力してもよい。
【００３７】
光源制御部１７２は、光源駆動部１２１やＰＷＭ信号生成部１２２を制御して光源部１１１の光源を点灯させ、光源の光量を調整する。
【００３８】
画像処理部１５３は、画像入力Ｉ／Ｆ部１５１に入力される画像データに基づいて、画像データの１フレームの平均輝度を算出する。画像処理部１５３は、算出した１フレームの平均輝度を明るさ情報として制御部１７０に出力する。光源制御部１７２は、画像処理部１５３から入力された明るさ情報に基づいて、光源に設定する出力光量を指定する情報である駆動パラメーターを生成する。この駆動パラメーターは、光源に設定する出力光量を示す情報であり、例えば、光源の明るさ比を示すデータである。ここで、光源の明るさ比とは、光源が出力可能な最大光量を１００％とした場合の、最大光量に対する割合（例えば、７０％等）で示す値である。例えば、光源に設定する出力光量を、光源が出力可能な最大光量の７０％に設定する場合、光源の明るさ比は「７０％」である。
【００３９】
光源制御部１７２は、記憶部１６０が記憶する光源制御情報１６１（制御情報を参照する。光源制御情報１６１は、光源の明るさ比と、光源駆動部１２１が光源部１１１に出力する駆動電流のデューティー比とを対応付ける情報を含む。例えば、光源の明るさ比をもとに、この明るさ比に対応するデューティー比を算出する演算式や関数を含んでもよい。また、光源制御情報１６１は、光源の明るさ比とデューティー比とを対応付けるテーブルや、光源の明るさ比とデューティー比との相関曲線のデータを含んでもよい。
【００４０】
また、光源制御部１７２は、光源制御情報１６１に基づき、光源駆動部１２１が出力する駆動電流の電流値を指定する情報を生成する。光源制御情報１６１は、光源の明るさ比と、光源駆動部１２１が光源部１１１に出力する駆動電流の電流値とを対応付ける情報を含む。例えば、光源の明るさ比をもとに、この明るさ比に対応する電流値を算出する演算式や関数を含んでもよい。また、光源制御情報１６１は、光源の明るさ比と電流値とを対応付けるテーブルや、光源の明るさ比と電流値との相関曲線のデータを含んでもよい。
【００４１】
光源制御部１７２は、光源制御情報１６１に基づいて、駆動パラメーターに対応するＰＷＭ信号のデューティー比を生成し、或いは算出し、或いは取得する。光源制御部１７２は、デューティー比を示す情報をＰＷＭ信号生成部１２２に出力する。また、光源制御部１７２は、光源制御情報１６１に基づいて、駆動電流の電流値を示す情報を光源駆動部１２１に出力する。
【００４２】
ＰＷＭ信号生成部１２２は、光源制御部１７２から入力される情報に基づいてＰＷＭ信号を生成し、光源駆動部１２１に出力する。そして、光源駆動部１２１が、ＰＷＭ信号生成部１２２から入力されるＰＷＭ信号に従って、光源制御部１７２から入力される情報によって指定される電流値の駆動電流を光源部１１１に供給する。
【００４３】
補正制御部１７３は、光センサー１１７の検出値に基づいて、記憶部１６０が記憶する光源制御情報１６１を補正する。光源部１１１が備える固体光源は、固体光源の特性や環境の影響によって経時変化し、固体光源の最大輝度は、使用開始時点の最大輝度から徐々に低下する。この経時変化は固体光源がＬＤである場合、及び、固体光源がＬＥＤで構成される場合のいずれも明らかである。この固体光源の経時変化によって、光源部１１１の駆動電流のデューティー比と光源の明るさ比との対応が変化する。プロジェクター１００は、補正制御部１７３により、固体光源が経時変化した場合に、光源制御情報１６１を、経時変化後の固体光源の状態に合わせて補正できる。
【００４４】
駆動電流のデューティー比と光源の明るさ比との対応の変化は、固体光源の発光閾値電流の変化の影響を受ける。
図２は、光源部１１１の駆動電流波形の説明図である。縦軸は電流を示し、横軸は時間の経過を示す。なお、図２に示す駆動電流の波形は、波形の鈍りの影響を明らかに理解できるよう、鈍りの部分を強調するようにデフォルメしてあり、実際に光源駆動部１２１が出力する駆動電流の波形と一致するとは限らない。
【００４５】
ＰＷＭ信号生成部１２２が光源駆動部１２１に出力するＰＷＭ信号は矩形波であり、光源駆動部１２１は、矩形波の駆動電流を生成して光源部１１１に出力する。しかしながら実際には、光源駆動部１２１を構成する回路素子の特性により、光源駆動部１２１が出力する駆動電流波形には、いわゆる鈍りが生じる。
【００４６】
図２に示す電流波形には、電流の立ち上がり及び立ち下がりのタイミングで鈍りが発生している。
固体光源は、上述した経時変化により、発光閾値電流が上昇する。ここで、プロジェクター１００の使用時間（工場出荷時からの通算の使用時間）が短いとき（Ａ時点とする）の発光閾値電流を図中にＴｈ１で示し、Ａ時点よりも使用時間が長いとき（Ｂ時点とする）の発光閾値電流をＴｈ２で示す。発光閾値電流Ｔｈ２は、発光閾値電流Ｔｈ１よりも高い値となる。
【００４７】
駆動電流が理想的な矩形波だとすれば、駆動電流が発光閾値電流を越える時間は、駆動電流のパルスのオン時間に等しい。しかし実際は、駆動電流波形の立ち上がりが鈍ることによって、駆動電流が発光閾値電流以上となる時間は、ＰＷＭ信号のパルス幅より短くなる。Ａ時点においては、駆動電流が発光閾値電流Ｔｈ１以上となるのは、図に示す区間ＰＷ１である。これに対し、経時変化が進んだＢ時点では、発光閾値電流Ｔｈ２が高いため、駆動電流が発光閾値電流Ｔｈ２以上となるのは、区間ＰＷ２であり、区間ＰＷ２は区間ＰＷ１より短い。つまり、光源駆動部１２１が出力する駆動電流が変化しなければ、Ｂ時点で固体光源が発光する時間は、Ａ時点より短くなる。
なお、鈍りの大きさや、鈍りにより駆動電流の立ち上がりが遅れる遅延時間の長さは、ＰＷＭ信号生成部１２２の回路特性による影響を受ける。また、駆動電流がピークまで立ち上がるまでの遅延時間は、駆動電流の電流値が大きいほど長くなる傾向がある。
【００４８】
さらに、駆動電流の波形の鈍りによる影響は、駆動電流の周波数が高いほど顕著に現れる。駆動電流の周波数が高いほどパルス幅は小さくなるが、駆動電流の立ち上がりの鈍りは、周波数の影響をさほど受けない。このため、鈍りにより駆動電流の立ち上がりのタイミングが遅れる遅延時間が、パルス幅に対して相対的に大きくなる。
【００４９】
ところで、ＰＷＭ信号生成部１２２が光源駆動部１２１に出力するＰＷＭ信号の周波数が人間の可聴周波数帯域に含まれる周波数である場合、騒音が指摘されることがある。これは、ＰＷＭ信号の周波数で、光源部１１１、光源駆動部１２１、ＰＷＭ信号生成部１２２を構成する回路や、これらを接続する信号線の周辺において、回路素子の振動等が発生するためである。これらの振動は人間の耳にノイズとして聞こえることがある。この対策として、プロジェクター１００では、駆動電流の周波数を、人間の可聴周波数帯域以上の周波数とすることがある。人間の可聴周波数帯域は２０Ｈｚ〜２０ｋＨｚとされているため、例えば、ＰＷＭ信号の周波数を、２０ｋＨｚを越える周波数、例えば２５ｋＨｚ以上あるいは３０ｋＨｚ以上とすることがある。
【００５０】
このように、ノイズ抑制のためにＰＷＭ信号の周波数を高周波に設定すると、光源駆動部１２１が出力する駆動電流の周波数が高くなり、結果として、駆動電流の波形の鈍りの影響を受けやすくなる。
プロジェクター１００は、補正制御部１７３は、光センサー１１７を利用して、駆動電流のデューティー比と光源部１１１の明るさ比との対応を求め、光源制御情報１６１を補正することで、光源部１１１の発光の明るさ比を適切に制御できる。これにより、光源部１１１の固体光源が経時変化しても、画像入力Ｉ／Ｆ部１５１に入力される画像データに対応して、光源部１１１の光源の明るさ比を適切に調整し、経時変化が発生しても高品位の画像を投射できる。
【００５１】
図３は、光源制御情報１６１の説明図である。図３には、光源制御情報１６１に含まれる、駆動電流のデューティー比と光源の明るさ比との相関を示す。具体的には、光源制御情報１６１は、図３の相関を示すデータや、図３の相関の通りに明るさ比からデューティー比を求める演算式あるいは関数、またはテーブルを含む。
【００５２】
図３の横軸は光源の明るさ比を示す。明るさ比は、上述したように光源の最大輝度を１００％とした場合の明るさの比を百分率で示した値である。縦軸は、駆動電流のデューティー比（デューティー値）である。なお、駆動電流のデューティー比は、補正制御部１７３がＰＷＭ信号生成部１２２に設定し、ＰＷＭ信号生成部１２２が出力するＰＷＭ信号のデューティー比が駆動電流に反映される。このため、図３の縦軸はＰＷＭ信号生成部１２２が出力するＰＷＭ信号のデューティー比ともいえる。
【００５３】
図３において、（ａ）は補正前の光源制御情報１６１に含まれる駆動電流−明るさ比の相関を示し、（ｂ）は補正後の光源制御情報１６１に含まれる相関を示す。
（ａ）に示すように、光源制御情報１６１が示す駆動電流−明るさ比の相関は、明るさ比が低い領域（図３の例では８０％未満）における区間Ｓ１では、ほぼ線形である。区間Ｓ１の駆動電流−明るさ比の相関は、多項式（例えば、ａｘ＋ｂ。但しａ，ｂは定数）で表現することができ、或いは近似できる。区間Ｓ１における駆動電流−明るさ比の相関は、例えば、工場出荷時におけるプロジェクター１００の検査および設定の機会に算出され、光源制御情報１６１として記憶部１６０に記憶される。
【００５４】
デューティー比が１００％に近い領域（図３の例では、デューティー比９０％以上）の区間Ｓ１１では、明るさ比は１００％、或いは、ほぼ１００％とみなせる程度の値となる。これは駆動電流の波形の鈍りの影響である。
【００５５】
図４は、光源部１１１の駆動電流波形の説明図である。縦軸は電流を示し、横軸は時間の経過を示す。図中、（ａ）はＰＷＭ信号の波形を理想的な矩形波として示し、（ｂ）は光源駆動部１２１が出力する駆動電流の波形を示す。
デューティー比が高い場合、（ａ）の矩形波で示すパルスのオン時間Ｐ０１が長く、オフ時間ＰＦ１が短くなる。ここで、オフ時間ＰＦ１が短いと波形の鈍りによって駆動電流の立ち下がりに時間がかかるようになり、次の立ち上がりと重なる現象が起きる。すなわち、（ｂ）に示すように、鈍りＤ１が発生したためにオフ時間ＰＦ１において駆動電流が十分に下がっていない。その結果、デューティー比が１００％でなく、オフ時間ＰＦ１があるにも関わらず、デューティー比が１００％の場合と同じ状態になる。この場合、光源部１１１の光源は、デューティー比が１００％の駆動電流が入力された場合と同様に発光する。
また、区間Ｓ１と区間Ｓ１１との間の区間Ｓ２１は、区間Ｓ１と、区間Ｓ１１とを接続するように決定される。例えば、区間Ｓ１の上端Ｑ１と区間Ｓ１１の下端Ｑ２とを結ぶ直線として決定できる。
【００５６】
補正制御部１７３は、デューティー比が異なる複数の駆動電流を光源駆動部１２１から光源部１１１に出力させ、その場合の光センサー１１７の検出値をもとに、光源制御情報１６１を補正する。
【００５７】
補正制御部１７３は、少なくとも、２つの駆動電流を光源駆動部１２１から出力させて光センサー１１７の検出値を取得する。詳細には、（Ｉ）１００％または同等と見なすことができるデューティー比の駆動電流を光源駆動部１２１から出力させる動作、及び、（ＩＩ）多項式で表される相関を呈するデューティー比の駆動電流を出力させる動作を行う。（Ｉ）の動作では、光源部１１１の光源の輝度が最大輝度となればよい。このため、デューティー比を１００％とすればよい。また、１００％でなくても、区間Ｓ１１に属するデューティー比であればよい。（ＩＩ）の動作では、補正前の駆動電流−明るさ比の相関において多項式で表される区間Ｓ１に含まれるデューティー比を設定すればよい。本実施形態で示す図３の例では、（Ｉ）の動作でデューティー比を１００％に設定し、（ＩＩ）の動作でデューティー比を５０％に設定する。（Ｉ）の動作で設定されるデューティー比は第１のデューティー比に相当し、（ＩＩ）の動作で設定されるデューティー比は第２のデューティー比に相当する。
【００５８】
図５は、制御部１７０の動作を示すフローチャートであり、特に、補正制御部１７３による光源制御情報１６１の補正に係る動作を示す。
補正制御部１７３は、（Ｉ）の動作を開始し、デューティー比を１００％または同等に設定する（ステップＳ１１）。補正制御部１７３は、設定したデューティー比の駆動電流を光源駆動部１２１により出力させて光源部１１１の光源を発光させ（ステップＳＴ１２）、光センサー１１７の検出値を取得する（ステップＳＴ１３）。ステップＳＴ１３で、光センサー１１７が検出した検出値を、光源部１１１の光源の最大輝度の検出値Ｂｍａｘとする。
【００５９】
補正制御部１７３は、（ＩＩ）の動作を実行し、多項式区間（多項式領域）に含まれるデューティー比を設定する（ステップＳＴ１４）。補正制御部１７３は、設定したデューティー比の駆動電流を光源駆動部１２１により出力させて光源部１１１の光源を発光させ（ステップＳＴ１５）、光センサー１１７の検出値を取得する（ステップＳＴ１６）。ステップＳＴ１５で、光センサー１１７が検出した検出値を、検出値Ｂｍｉｄとする。
【００６０】
補正制御部１７３は、ステップＳＴ１４で設定したデューティー比に対応する光源部１１１の光源の明るさ比を算出する（ステップＳＴ１７）。ステップＳＴ１７では、光源の最大輝度の検出値Ｂｍａｘと、多項式区間のデューティー比に対応する検出値Ｂｍｉｄとを用い、Ｂｍｉｄ／Ｂｍａｘ（％）の演算を行い、明るさ比を算出する。図３の例ではＢｍｉｄ／Ｂｍａｘ（％）＝３０（％）である。
【００６１】
補正制御部１７３は、補正前の駆動電流−明るさ比の相関（ａ）のうち多項式区間Ｓ１をシフトさせる処理を行う（ステップＳＴ１８）。詳細には、補正制御部１７３は、算出した明るさ比を、ステップＳＴ１４で設定したデューティー比に対応する位置にプロットする。図３の例では、デューティー比５０％と明るさ比３０％に対応する点Ｑ５に相当する。補正制御部１７３は、補正前の駆動電流−明るさ比の相関（ａ）のうち多項式区間Ｓ１を、点Ｑ５を通るように平行移動させる。図では補正前の駆動電流−明るさ比の相関（ａ）における点Ｑ４が、点Ｑ４と同じデューティー比に対応する点Ｑ５に平行移動したように見えるが、平行移動の方向は、縦軸方向及び横軸方向のいずれでもよい。これにより、駆動電流−明るさ比の相関（ｂ）の多項式区間Ｓ２が得られる。補正後の多項式区間Ｓ２の上端Ｑ３は、補正前の多項式区間Ｓ１の上端Ｑ１と同じデューティー比の点である。また、光源部１１１の光源が最大輝度となる区間Ｓ１１は、補正後も変化しないものと見なすことができる。区間Ｓ１１において光源が最大輝度となる理由が、上述したように駆動電流の波形の鈍りに起因し、この現象は光源の経時変化後も同様に起きるためである。
【００６２】
補正制御部１７３は、多項式区間Ｓ２の上端Ｑ３と区間Ｓ１１の下端Ｑ２とを結ぶように区間Ｓ２２の相関を決定する（ステップＳＴ１９）。
これにより、補正後の駆動電流−明るさ比の相関が得られるので、補正制御部１７３は、補正後の相関に基づき光源制御情報１６１を更新し（ステップＳＴ２０）、本処理を終了する。
【００６３】
なお、図３は、駆動電流−明るさ比の相関（ａ）、（ｂ）を示しており、光センサー１１７が検出する検出値、及び、光源部１１１の光源の輝度そのものを示す図ではない。光源部１１１の光源が経時変化した場合、光源の輝度自体は低下するため、補正前と補正後で一致することはないが、図３の横軸は最大輝度を１００％とした場合の明るさ比であるから、相関（ａ）、（ｂ）は図３のように一部が重なる。
【００６４】
以上説明したように、本発明の表示装置、及び、表示装置の制御方法を適用した実施形態に係るプロジェクター１００は、光源部１１１、光源駆動部１２１、記憶部１６０、制御部１７０、及び光センサー１１７を備える。光源駆動部１２１は、光源部１１１に駆動電流を出力する。記憶部１６０は、光源駆動部１２１が出力する駆動電流のデューティー比と光源部１１１の最大輝度に対する明るさ比とを対応付ける光源制御情報１６１を記憶する。制御部１７０は、光源制御情報１６１に基づいて、光源駆動部１２１が出力する駆動電流のデューティー比を設定する。光センサー１１７は、光源部１１１の明るさを検出する。制御部１７０は、光源駆動部１２１が第１のデューティー比の駆動電流を出力する場合の光センサー１１７の検出結果と、光源駆動部１２１が第１のデューティー比よりも低い第２のデューティー比の駆動電流を出力する場合の光センサー１１７の検出結果と、に基づいて、光源制御情報１６１を補正する。これにより、光源制御情報１６１に基づいて光源部１１１の輝度を制御し、この光源制御情報１６１を簡易な動作で補正できる。従って、光源部１１１に供給される電力に対する光源部１１１の輝度の変化に対応して、表示品質の低下を抑制できる。
【００６５】
制御部１７０は、光源駆動部１２１が出力する駆動電流の波形なまりに起因する、光源駆動部１２１が出力する駆動電流のデューティー比に対する光源部１１１の明るさ比の低下を補うように、光源制御情報１６１を補正する。これにより、駆動電流の波形なまりに起因して、デューティー比が実質的に目減りするような場合であっても、光源部１１１の輝度を適切に制御できる。
【００６６】
光源制御情報１６１は、光源駆動部１２１が出力する駆動電流のデューティー比と光源部１１１の明るさ比との相関曲線を示す情報を含む。制御部１７０は、光源制御情報１６１に含まれる相関曲線をシフトさせることにより、光源制御情報１６１を補正する。これにより、光源制御情報１６１を簡易な動作により補正できる。
【００６７】
第１のデューティー比は、光源制御情報１６１によって光源部１１１の最大輝度に対応付けられる値である。これにより、少ない測定結果に基づいて光源制御情報１６１を適切に補正できる。また、例えば、第２のデューティー比は、第１のデューティー比より低く、光源制御情報１６１に含まれる駆動電流−明るさ比の相関の多項式区間に含まれるデューティー比である。
【００６８】
光源駆動部１２１が光源部１１１に出力する駆動電流は、例えば、人間の可聴周波数帯域として知られる周波数帯域（例えば、２０Ｈｚ〜２０ｋＨｚ）以上の周波数であってもよい。具体的には、ＰＷＭ信号の周波数を、２０ｋＨｚを越える周波数、例えば２５ｋＨｚ以上あるいは３０ｋＨｚ以上としてもよい。この場合、光源部１１１に供給される駆動電流の周波数が高く、駆動電流の波形なまりの影響を受けやすい場合に、光源制御情報１６１を補正することにより、光源部１１１の輝度を適切に制御できる。
【００６９】
［変形例］
図３に例示したように、デューティー比が高い領域に相当する区間Ｓ１１では、光源の輝度が最大輝度となってしまう。この影響で、多項式区間Ｓ１、Ｓ２と区間Ｓ１１との間の区間Ｓ２１、Ｓ２２では、デューティー比の変化に対する光源の明るさ比の変化が急峻であり、明るさ比に対応してデューティー比を適切に制御する処理が複雑になりやすい。
【００７０】
プロジェクター１００は、光源駆動部１２１から出力する駆動電流のパルス幅を変化させ、デューティー比が１００％に近い領域における鈍りの影響を抑制する構成としてもよい。この場合について、変形例として説明する。
【００７１】
図６は、光源部１１１の駆動電流波形の例を示す説明図であり、図３に対応する。図６の横軸は光源の明るさ比を示し、縦軸は、駆動電流のデューティー比である。
【００７２】
図６には、変形例における駆動電流のデューティー比と光源の明るさ比との相関を示す。この駆動電流−明るさ比の相関に関する情報は、光源制御情報１６１に、演算式、関数、テーブル等の形式で含まれる。
図６において、（ａ）は補正前の光源制御情報１６１に含まれる駆動電流−明るさ比の相関を示し、（ｂ）は上記実施形態における補正後の光源制御情報１６１に含まれる相関を示す。（ｃ）は変形例における補正後の光源制御情報１６１に含まれる相関を示す。
【００７３】
また、図７は、光源部１１１の駆動電流波形の説明図であり、図４に対応する。縦軸は電流を示し、横軸は時間の経過を示す。図中、（ａ）はＰＷＭ信号の波形を理想的な矩形波として示し、（ｂ）は光源駆動部１２１が出力する駆動電流の波形を示す。
【００７４】
変形例において、ＰＷＭ信号生成部１２２は、パルスのオン時間すなわちパルス幅がＰ０２のパルスと、オン時間がＰ０３のパルスとを含むＰＷＭ信号を出力する。このＰＷＭ信号では、パルスのオフ時間がＰＦ２及びＰＦ３の２種類ある。このＰＷＭ信号は、１周期Ｔに、パルス幅がＰ０２のパルス、オン時間がＰ０３のパルス、及び、オフ時間ＰＦ２、ＰＦ３を含む。ＰＷＭ信号のデューティー比は、１周期Ｔに対するオン時間Ｐ０２とＰ０３との和の割合となる。
図７に示すＰＷＭ信号のデューティー比は、例えば、図３に示したＰＷＭ信号と同じデューティー比とすることができる。言い換えれば、等幅パルスからなるＰＷＭ信号とデューティー比を変えることなく、パルスのオン時間の種類を異ならせて、オン時間の長いパルスを設定することにより、長いオフ時間ＰＦ２を設定できる。
【００７５】
変形例においても、（ｂ）に示すように光源駆動部１２１の駆動電流の波形には鈍りを生じる。変形例では、ＰＷＭ信号が長いオフ時間を含むため、この長いオフ時間に相当する領域では、符号Ｄ２で示すように、鈍りを生じても電流値が十分に低下する。
また、パルス幅が異なる複数のパルスを組み合わせ、１周期にパルス幅が異なる複数のパルスを含むことにより、デューティー比が低い領域においても１つのオフ時間の長さを抑えることができる。このため、デューティー比が低い場合であっても光源部１１１の光源のちらつきを生じにくいという利点がある。
【００７６】
この変形例では、デューティー比の全域において、図７に示したように、１周期にパルス幅が異なる複数のパルスを含む構成とする。この場合、図６に示すように、駆動電流−明るさ比の相関において、光源が最大輝度（明るさ比が１００％）となる区間Ｓ１３は、図３のＱ２（デューティー比９０％相当）よりもデューティー比の高い領域である。
【００７７】
補正前の駆動電流−明るさ比の相関（ａ）において、区間Ｓ１１が区間Ｓ１３に代わった場合、光源が最大輝度となる区間Ｓ１３の下端Ｑ１２と多項式区間Ｓ３の上端Ｑ１１とを結ぶ区間Ｓ３１の傾きに着目する。区間Ｓ３１の傾きは、上記実施形態で説明した区間Ｓ２１とは異なり、詳細には、デューティー比の変化に対する明るさ比の変化が緩やかである。従って、デューティー比が高い領域においても、光源の明るさ比を、より細かく適切に制御できる。
【００７８】
（ｃ）に示す補正後の駆動電流−明るさ比の相関においては、１周期にパルス幅が異なる複数のパルスを含めることの効果が、より顕著である。光源の経時変化に対応して補正を行った場合、多項式区間がシフトするので、補正後の駆動電流−明るさ比の相関（ｃ）では、多項式区間Ｓ４の上端が点Ｑ１３の位置にある。点Ｑ１３と点Ｑ１２とを結ぶ区間Ｓ３２は、上記実施形態で説明した駆動電流−明るさ比の相関（ｂ）の区間Ｓ２２に比べて、デューティー比の変化に対する光源の明るさ比の変化が緩やかである。従って、デューティー比が高い領域においても、光源の明るさ比を、より細かく適切に制御できる。
【００７９】
このように、プロジェクター１００では、ＰＷＭ信号生成部１２２が、幅が異なる複数種類のパルスを含むＰＷＭ信号を出力し、光源駆動部１２１が、幅が異なる複数種類のパルスを含む駆動電流を出力する構成としてもよい。この場合、駆動電流のデューティー比を変化させずに、パルスの間隔を拡大することが可能となり、電流の波形なまりの影響を抑制できる。
なお、図７に示したＰＷＭ信号及び駆動電流の波形は一例であり、例えば、パルス幅が異なる３種類以上のパルスを１周期に含んでもよい。
【００８０】
上述した実施形態及び変形例は、本発明の好適な実施の形態である。ただし、本発明は上述の実施形態に限定されるものではなく、本発明の要旨を逸脱しない範囲内において種々の変形実施が可能である。例えば、上記実施形態及び変形例では、制御部１７０がＰＷＭ信号生成部１２２のデューティー比を設定し、設定されたデューティー比のＰＷＭ信号が光源駆動部１２１に入力されて、駆動電流を出力する構成とした。本発明はこれに限定されず、制御部１７０が直接、光源駆動部１２１を制御して駆動電流のデューティー比を設定してもよい。また、上述した実施形態及び変形例で示したデューティー比及び明るさ比等の具体的な数値は、説明のための一例に過ぎず、本発明の適用範囲等を限定するものではない。
【００８１】
また、上述した実施形態及び変形例では、光源が発した光を変調する光変調装置１１３として、ＲＧＢの各色に対応した３枚の液晶パネルを用いた構成を例に挙げて説明したが、本発明はこれに限定されるものではない。例えば、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。また、液晶パネルおよびＤＭＤ以外にも、光源が発した光を変調可能な光変調装置であれば問題なく採用できる。
【００８２】
また、上述した実施形態及び変形例では、スクリーンＳＣの前方から投射するフロントプロジェクション型のプロジェクター１００を示したが、本発明はこれに限定されず、リアプロジェクション型のプロジェクターであってもよい。また、本発明の表示装置は、スクリーンＳＣに画像を投射するプロジェクターに限定されない。例えば、液晶表示パネル、ＰＤＰ（プラズマディスプレイパネル）等の表示パネルや、自発光型の表示パネルを有するモニター装置やテレビ受像機等の各種の表示装置も本発明の画像表示装置に含まれる。表示パネルとしては、ＯＬＥＤ（Organic light-emitting diode）、ＯＥＬ（Organic Electro-Luminescence）等と呼ばれる有機ＥＬ表示パネルを含んでもよい。
【００８３】
また、図１に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【符号の説明】
【００８４】
５…リモコン、１００…プロジェクター（表示装置）、１１１…光源部(光源)、１１２…色分離部、１１３…光変調装置、１１４…投射光学系、１１５…液晶パネル、１１７…光センサー（検出部）、１２１…光源駆動部、１２２…ＰＷＭ信号生成部、１２３…光変調装置駆動部、１４１…操作パネル、１４２…リモコン受光部、１４３…入力処理部、１４５…無線通信部、１５１…画像入力Ｉ／Ｆ部、１５３…画像処理部、１５５…フレームメモリー、１６０…記憶部、１６１…光源制御情報（制御情報）、１７０…制御部、１７１…投射制御部、１７２…光源制御部、１７３…補正制御部、１８０…内部バス、２００…画像供給装置、ＳＣ…スクリーン。
【図１】
0006693140.tif 000002
【図２】
0006693140.tif 000003
【図３】
0006693140.tif 000004
【図４】
0006693140.tif 000005
【図５】
0006693140.tif 000006
【図６】
0006693140.tif 000007
【図７】
0006693140.tif 000008